【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
着呼に応じて着信音を鳴動させる着信音鳴動手段と、
少なくとも前記着信音鳴動手段による着信音の鳴動を停止させる第１の動作とその他の第２の動作を行う操作キーと、
前記操作キーが操作されたとき、前記着呼の状態に基づいて前記第１の動作を行うかあるいは前記第２の動作を行うかを制御する制御手段と、
を備えた通信装置。
【請求項２】
前記制御手段は、着呼に応じた呼出状態のときには前記第１の動作を行う一方、該呼出状態ではないときには前記第２の動作を行うことを特徴とする請求項１に記載の通信装置。
【請求項３】
前記第２の動作を行う前記操作キーに前記第１の動作を行うように設定する動作設定手段を備えた請求項１または２のいずれかに記載の通信装置。
【請求項４】
前記動作設定手段は、複数の操作キーから所定の操作キーを選択して設定することを特徴とする請求項１乃至３のいずれかに記載の通信装置。
【請求項５】
前記操作キーはテンキーであることを特徴とする請求項１乃至３のいずれかに記載の通信装置。
【請求項６】
着呼に応じて着信音を鳴動させる着信音鳴動ステップと、
少なくとも前記着信音鳴動ステップによる着信音の鳴動を停止させる第１の動作とその他の第２の動作を行う操作キーが操作されたとき、前記着呼の状態に基づいて前記第１の動作を行うかあるいは前記第２の動作を行うかを制御する制御ステップと、
を含む通信方法。
【請求項７】
前記制御ステップは、着呼に応じた呼出状態のときには前記第１の動作を行う一方、該呼出状態ではないときには前記第２の動作を行うことを特徴とする請求項６に記載の通信方法。
【請求項８】
前記第２の動作を行う前記操作キーに前記第１の動作を行うように設定する動作設定ステップを含む請求項６または７のいずれかに記載の通信方法。
【請求項９】
前記動作設定ステップは、複数の操作キーから所定の操作キーを選択して設定することを特徴とする請求項６乃至８のいずれかに記載の通信方法。
【請求項１０】
前記操作キーはテンキーであることを特徴とする請求項６乃至８のいずれかに記載の通信方法。
【手続補正２】
【補正対象書類名】明細書
【補正対象項目名】発明の名称
【補正方法】変更
【補正の内容】
【発明の名称】通信装置及び通信方法
【手続補正３】
【補正対象書類名】明細書
【補正対象項目名】０００１
【補正方法】変更
【補正の内容】
【０００１】
本発明は、通信装置及び通信方法に関する。
【手続補正４】
【補正対象書類名】明細書
【補正対象項目名】０００３
【補正方法】変更
【補正の内容】
【０００３】
しかし、電車内等の公共の場所に居る場合に、携帯電話の着信音が鳴動すると、まわりの人に迷惑になるため、着信音の鳴動を止めるためだけのために、通信開始を指示する所定の操作入力を行って、着呼に応答してしまうと、着信音の鳴動は止まるが、着呼に応答してしまうことになるため、通話したくない状況でも発呼元の相手と何らかの会話を交わさなければならず、面倒であるという問題点がある。
【手続補正５】
【補正対象書類名】明細書
【補正対象項目名】０００４
【補正方法】変更
【補正の内容】
【０００４】
一方、着呼時にバイブレータを振動させる設定にしておく場合は、携帯電話を常に体に密着させておかなければならず、うっかり体から離していると応答すべき重要な着呼に応答できず、社会生活に支障をきたすという問題点がある。また、もし仮に着信音の鳴動のみを停止できる機能を実現できたとしても、機能を設定できる操作キーには限りがあるという問題点がある。
【手続補正６】
【補正対象書類名】明細書
【補正対象項目名】０００６
【補正方法】変更
【補正の内容】
【０００６】
本発明は係る事情に鑑みてなされたものであり、操作者が機能の切替のための操作をする必要がなく、多くの機能を少ない操作キーに設定することができる通信装置及び通信方法を提供することを目的とする。
【手続補正７】
【補正対象書類名】明細書
【補正対象項目名】０００７
【補正方法】変更
【補正の内容】
【０００７】
上記目的を達成するため、請求項１に記載の通信装置は、着呼に応じて着信音を鳴動させる着信音鳴動手段と、少なくとも前記着信音鳴動手段による着信音の鳴動を停止させる第１の動作とその他の第２の動作を行う操作キーと、前記操作キーが操作されたとき、前記着呼の状態に基づいて前記第１の動作を行うかあるいは前記第２の動作を行うかを制御する制御手段と、を備えている。
【手続補正８】
【補正対象書類名】明細書
【補正対象項目名】０００８
【補正方法】変更
【補正の内容】
【０００８】
請求項２に記載の通信装置は、請求項１に記載の通信装置において、前記制御手段は、着呼に応じた呼出状態のときには前記第１の動作を行う一方、該呼出状態ではないときには前記第２の動作を行うことを特徴とする。
【手続補正９】
【補正対象書類名】明細書
【補正対象項目名】０００９
【補正方法】変更
【補正の内容】
【０００９】
請求項３に記載の通信装置は、請求項１または２のいずれかに記載の通信装置において、前記第２の動作を行う前記操作キーに前記第１の動作を行うように設定する動作設定手段を備えている。
請求項４に記載の通信装置は、請求項１乃至３のいずれかに記載の通信装置において、前記動作設定手段は、複数の操作キーから所定の操作キーを選択して設定することを特徴とする。
請求項５に記載の通信装置は、請求項１乃至３のいずれかに記載の通信装置において、前記操作キーはテンキーであることを特徴とする。
請求項６に記載の通信方法は、着呼に応じて着信音を鳴動させる着信音鳴動ステップと、少なくとも前記着信音鳴動ステップによる着信音の鳴動を停止させる第１の動作とその他の第２の動作を行う操作キーが操作されたとき、前記着呼の状態に基づいて前記第１の動作を行うかあるいは前記第２の動作を行うかを制御する制御ステップと、を含んでいる。
請求項７に記載の通信方法は、請求項６に記載の通信方法において、前記制御ステップは、着呼に応じた呼出状態のときには前記第１の動作を行う一方、該呼出状態ではないときには前記第２の動作を行うことを特徴とする。
請求項８に記載の通信方法は、請求項６または７のいずれかに記載の通信方法において、前記第２の動作を行う前記操作キーに前記第１の動作を行うように設定する動作設定ステップを含む。
請求項９に記載の通信方法は、請求項６乃至８のいずれかに記載の通信方法において、前記動作設定ステップは、複数の操作キーから所定の操作キーを選択して設定することを特徴とする。
請求項１０に記載の通信方法は、請求項６乃至８のいずれかに記載の通信方法において、前記操作キーはテンキーであることを特徴とする。
【手続補正１０】
【補正対象書類名】明細書
【補正対象項目名】００１０
【補正方法】変更
【補正の内容】
【００１０】
本発明によれば、操作キーに設定された複数の機能を着呼に応じて自動で切り替えているため、操作者が機能の切替のための操作をする必要がなく、多くの機能を少ない操作キーに設定することができるという効果が得られる。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】